(57)【特許請求の範囲】
【請求項１】
画像データを取得する取得部と、
着脱可能に装着されている色剤カートリッジを用いて被記録媒体に前記画像データを印刷する印刷部と、
消耗度合が第１の消耗度合未満である前記色剤カートリッジに交換されたことを検知する検知部と、
制御部と、
を備え、
前記制御部は、
前記色剤カートリッジの消耗度合が前記第１の消耗度合未満である第１状態にあるか、前記第１の消耗度合以上であり且つ第２の消耗度合（第１の消耗度合＜第２の消耗度合）未満である第２状態にあるかを判断する判断処理と、
前記第１状態にあるときに前記取得部によって取得された画像データを前記印刷部に印刷させる第１の制御処理と、
前記第２状態にあるときに前記取得部によって取得された画像データを前記印刷部に印刷させるとともに、再印刷用データとして記憶部に記憶させる第２の制御処理と、
前記第１の消耗度合未満である前記色剤カートリッジに交換されたことが前記検知部によって検知されると、前記記憶部に記憶されている前記再印刷用データと、前記取得部によって取得されて未だ印刷が行われていない未印刷データとを、予め決められている印刷順で前記印刷部に印刷させる第３の制御処理と、
を実行し、
前記未印刷データは、予め前記再印刷用データに対する相対的な優先度が設定されており、
前記制御部は、
前記第３の制御処理において、前記再印刷用データより高い優先度が設定されている前記未印刷データを前記再印刷用データより先に印刷させ、前記再印刷用データより低い優先度が設定されている前記未印刷データを前記再印刷用データより後に印刷させる、印刷装置。
【請求項２】
画像データを取得する取得部と、
着脱可能に装着されている色剤カートリッジを用いて被記録媒体に前記画像データを印刷する印刷部と、
消耗度合が第１の消耗度合未満である前記色剤カートリッジに交換されたことを検知する検知部と、
制御部と、
を備え、
前記制御部は、
前記色剤カートリッジの消耗度合が前記第１の消耗度合未満である第１状態にあるか、前記第１の消耗度合以上であり且つ第２の消耗度合（第１の消耗度合＜第２の消耗度合）未満である第２状態にあるかを判断する判断処理と、
前記第１状態にあるときに前記取得部によって取得された画像データを前記印刷部に印刷させる第１の制御処理と、
前記第２状態にあるときに前記取得部によって取得された画像データを前記印刷部に印刷させるとともに、再印刷用データとして記憶部に記憶させる第２の制御処理と、
前記第１の消耗度合未満である前記色剤カートリッジに交換されたことが前記検知部によって検知されると、前記記憶部に記憶されている前記再印刷用データと、前記取得部によって取得されて未だ印刷が行われていない未印刷データとを、予め決められている印刷順で前記印刷部に印刷させる第３の制御処理と、
を実行し、
前記取得部は複数の方法で前記画像データを取得可能であり、
前記制御部は、前記第３の制御処理において、前記色剤カートリッジの消耗度合が特定の状態にあるときに特定の前記方法で取得された前記未印刷データを前記再印刷用データより先に印刷させ、それ以外の前記未印刷データを前記再印刷用データより後に印刷させる、印刷装置。
【請求項３】
画像データを取得する取得部と、
着脱可能に装着されている色剤カートリッジを用いて被記録媒体に前記画像データを印刷する印刷部と、
消耗度合が第１の消耗度合未満である前記色剤カートリッジに交換されたことを検知する検知部と、
制御部と、
を備え、
前記制御部は、
前記色剤カートリッジの消耗度合が前記第１の消耗度合未満である第１状態にあるか、前記第１の消耗度合以上であり且つ第２の消耗度合（第１の消耗度合＜第２の消耗度合）未満である第２状態にあるかを判断する判断処理と、
前記第１状態にあるときに前記取得部によって取得された画像データを前記印刷部に印刷させる第１の制御処理と、
前記第２状態にあるときに前記取得部によって取得された画像データを前記印刷部に印刷させるとともに、再印刷用データとして記憶部に記憶させる第２の制御処理と、
前記第１の消耗度合未満である前記色剤カートリッジに交換されたことが前記検知部によって検知されると、前記記憶部に記憶されている前記再印刷用データと、前記取得部によって取得されて未だ印刷が行われていない未印刷データとを、予め決められている印刷順で前記印刷部に印刷させる第３の制御処理と、
を実行し、
前記制御部は、前記第３の制御処理において、前記未印刷データを前記再印刷用データより先に印刷させ、前記第３の制御処理において前記未印刷データを前記再印刷用データより先に印刷させる場合に、前記記憶部に記憶されている未だ印刷が開始されていない全ての前記再印刷用データと前記取得部により取得されていて未だ印刷が開始されていない全ての前記未印刷データとを印刷した後の前記色剤カートリッジの消耗度合が前記第１の消耗度合より大きいか否かを判断し、前記第１の消耗度合より大きいと判断した場合は、前記再印刷用データを前記未印刷データより先に印刷させる、印刷装置。
【請求項４】
画像データを取得する取得部と、
着脱可能に装着されている色剤カートリッジを用いて被記録媒体に前記画像データを印刷する印刷部と、
消耗度合が第１の消耗度合未満である前記色剤カートリッジに交換されたことを検知する検知部と、
制御部と、
を備え、
前記制御部は、
前記色剤カートリッジの消耗度合が前記第１の消耗度合未満である第１状態にあるか、前記第１の消耗度合以上であり且つ第２の消耗度合（第１の消耗度合＜第２の消耗度合）未満である第２状態にあるかを判断する判断処理と、
前記第１状態にあるときに前記取得部によって取得された画像データを前記印刷部に印刷させる第１の制御処理と、
前記第２状態にあるときに前記取得部によって取得された画像データを前記印刷部に印刷させるとともに、再印刷用データとして記憶部に記憶させる第２の制御処理と、
前記第１の消耗度合未満である前記色剤カートリッジに交換されたことが前記検知部によって検知されると、前記記憶部に記憶されている前記再印刷用データと、前記取得部によって取得されて未だ印刷が行われていない未印刷データとを、予め決められている印刷順で前記印刷部に印刷させる第３の制御処理と、
を実行し、
前記再印刷用データと前記未印刷データとの印刷順をユーザに設定させる設定部を備え、
前記制御部は、前記第３の制御処理において、前記設定部によって設定された印刷順で印刷させ、前記第３の制御処理において前記未印刷データを前記再印刷用データより先に印刷させる場合に、前記記憶部に記憶されている未だ印刷が開始されていない全ての前記再印刷用データと前記取得部により取得されていて未だ印刷が開始されていない全ての前記未印刷データとを印刷した後の前記色剤カートリッジの消耗度合が前記第１の消耗度合より大きいか否かを判断し、前記第１の消耗度合より大きいと判断した場合は、前記再印刷用データを前記未印刷データより先に印刷させる、印刷装置。
【請求項５】
請求項１乃至請求項４のいずれか一項に記載の印刷装置であって、
前記制御部は、
前記判断処理において、前記色剤カートリッジの消耗度合が前記第２の消耗度合以上である第３状態にあるかを更に判断し、
前記第３状態にあるときに前記取得部によって取得された画像データを前記印刷部に印刷させず、前記未印刷データとして前記記憶部に記憶させる第４の制御処理を実行する、印刷装置。
【請求項６】
請求項１乃至請求項５のいずれか一項に記載の印刷装置であって、
前記制御部は、前記第３の制御処理において前記未印刷データを前記再印刷用データより先に印刷させる場合に、前記再印刷用データの印刷中に前記取得部によって画像データが取得された場合は、当該取得された画像データを前記未印刷データとして、未だ印刷が開始されていない前記再印刷用データより先に印刷させる、印刷装置。
【発明の詳細な説明】
【技術分野】
【０００１】
本発明は、印刷装置に関する。
【背景技術】
【０００２】
従来、トナーボックス中のトナーの量が第１所定量未満で第２所定量以上である少トナー状態で画像データを受信した場合に、その画像データを記録材に記録するとともに、その画像データを画像メモリに記憶させるファクシミリ装置が知られている（例えば、特許文献１参照）。
【０００３】
このファクシミリ装置では、トナーの量が第１所定量以上である通常状態にあることが検出されているときに再記録指示が受け付けられたことに応じて、少トナー状態で画像メモリに記憶された画像データ（再印刷用データ）が表す画像の記録材への記録を行っている。
【０００４】
また、このファクシミリ装置では、トナーの量が第２所定量未満であるトナー欠状態で画像データを受信した場合には、その画像データを記録材に記憶させず、その画像データ（未印刷データ）を画像メモリに記憶させている。
【先行技術文献】
【特許文献】
【０００５】
【特許文献１】特開平１１−３４１２４２号公報
【発明の概要】
【発明が解決しようとする課題】
【０００６】
しかしながら、従来のファクシミリ装置によると、トナー欠状態で受信して画像メモリに記憶させた画像データ（未印刷データ）の印刷については考慮されていなかった。
また、従来のファクシミリ装置によると、再印刷用データの記録中に画像データを受信した場合に、その画像データ（未印刷データ）と再印刷用データとをどのような印刷順で印刷するかについて考慮されていなかった。
本発明は上記のような事情に基づいて完成されたものであって、再印刷用データと未印刷データとをユーザにとって適切な印刷順で印刷できる印刷装置を提供することを目的とする。
【課題を解決するための手段】
【０００７】
第１の発明は、印刷装置であって、画像データを取得する取得部と、着脱可能に装着されている色剤カートリッジを用いて被記録媒体に前記画像データを印刷する印刷部と、消耗度合が第１の消耗度合未満である前記色剤カートリッジに交換されたことを検知する検知部と、制御部と、を備え、前記制御部は、前記色剤カートリッジの消耗度合が前記第１の消耗度合未満である第１状態にあるか、前記第１の消耗度合以上であり且つ第２の消耗度合（第１の消耗度合＜第２の消耗度合）未満である第２状態にあるかを判断する判断処理と、前記第１状態にあるときに前記取得部によって取得された画像データを前記印刷部に印刷させる第１の制御処理と、前記第２状態にあるときに前記取得部によって取得された画像データを前記印刷部に印刷させるとともに、再印刷用データとして記憶部に記憶させる第２の制御処理と、前記第１の消耗度合未満である前記色剤カートリッジに交換されたことが前記検知部によって検知されると、前記記憶部に記憶されている前記再印刷用データと、前記取得部によって取得されて未だ印刷が行われていない未印刷データとを、予め決められている印刷順で前記印刷部に印刷させる第３の制御処理と、を実行する。
【０００８】
この発明によると、再印刷用データと未印刷データとを予め決められている印刷順で印刷するので、ユーザにとって適切な印刷順を予め設定しておくことにより、再印刷用データと未印刷データとをユーザにとって適切な印刷順で印刷できる。
【０００９】
ここで、一つの画像データは、１枚の被記録媒体に印刷される１ページ分の画像を表すデータであってもよいし、複数枚の被記録媒体に印刷される複数ページ分の画像を表すデータであってもよい。
なお、制御部は検知部によって第１の消耗度合未満である色剤カートリッジに交換されたことが検知された場合に必ず第３の制御処理を実行するものに限られない。例えば、第１の消耗度合未満である色剤カートリッジに交換されたことが検知されてもユーザが再印刷用データを印刷しないという選択をした場合には第３の制御処理を実行せず、再印刷用データを印刷するという選択をした場合に第３の制御処理を実行してもよい。
【００１０】
第２の発明は、第１の発明の印刷装置であって、前記制御部は、前記判断処理において、前記色剤カートリッジの消耗度合が前記第２の消耗度合以上である第３状態にあるかを更に判断し、前記第３状態にあるときに前記取得部によって取得された画像データを前記印刷部に印刷させず、前記未印刷データとして前記記憶部に記憶させる第４の制御処理を実行する。
この発明によると、第３状態にあるときに取得された画像データを色剤カートリッジの交換後に印刷することができる。
【００１１】
第３の発明は、第１又は第２の発明の印刷装置であって、前記制御部は、前記第３の制御処理において、前記未印刷データを前記再印刷用データより先に印刷させる。
再印刷用データは既に一度は印刷されているのに対し、未印刷データは未だ一度も印刷が行われていないのでユーザはその内容を把握できていない。
この発明によると、一度印刷が行われている再印刷用データよりも、未だ一度も印刷が行われていない未印刷データを先に印刷させるので、ユーザは未印刷データの内容を速やかに把握することができる。
【００１２】
第４の発明は、第１又は第２の発明の印刷装置であって、前記制御部は、前記第３の制御処理において、前記再印刷用データを前記未印刷データより先に印刷させる。
この発明によると、再印刷用データを未印刷データより先に印刷させるという印刷順がユーザにとって適切な印刷順である場合に、再印刷用データと未印刷データとをユーザにとって適切な印刷順で印刷できる。
【００１３】
第５の発明は、第１又は第２の発明の印刷装置であって、前記再印刷用データと前記未印刷データとの印刷順をユーザに設定させる設定部を備え、前記制御部は、前記第３の制御処理において、前記設定部によって設定された印刷順で印刷させる。
この発明によると、ユーザが印刷順を設定できるので、再印刷用データと未印刷データとをユーザにとって適切な印刷順で印刷できる。
【００１４】
第６の発明は、第３又は第５の発明の印刷装置であって、前記制御部は、前記第３の制御処理において前記未印刷データを前記再印刷用データより先に印刷させる場合に、前記再印刷用データの印刷中に前記取得部によって画像データが取得された場合は、当該取得された画像データを前記未印刷データとして、未だ印刷が開始されていない前記再印刷用データより先に印刷させる。
再印刷用データは既に一度は印刷されているのに対し、再印刷用データの印刷中に取得された画像データは未だ一度も印刷が行われていないのでユーザはその画像データの内容を把握できていない。
この発明によると、再印刷用データの印刷中に取得部によって画像データが取得された場合は、当該取得された画像データ（未印刷データ）を、未だ印刷が開始されていない再印刷用データより先に印刷させるので、ユーザは当該画像データの内容を速やかに把握することができる。
【００１５】
第７の発明は、第３、第５、又は第６の発明の印刷装置であって、前記制御部は、前記第３の制御処理において前記未印刷データを前記再印刷用データより先に印刷させる場合に、前記記憶部に記憶されている未だ印刷が開始されていない全ての前記再印刷用データと前記取得部により取得されていて未だ印刷が開始されていない全ての前記未印刷データとを印刷した後の前記色剤カートリッジの消耗度合が前記第１の消耗度合より大きいか否かを判断し、前記第１の消耗度合より大きいと判断した場合は、前記再印刷用データを前記未印刷データより先に印刷させる。
【００１６】
未印刷データを再印刷用データより先に印刷させる場合、途中で色剤カートリッジの状態が第２状態となり、同じ再印刷用データがまたかすれて印刷されてしまう虞がある。
この発明によると、記憶部に記憶されている未だ印刷が開始されていない全ての再印刷用データと現時点で取得されていて未だ印刷が開始されていない全ての未印刷データとを印刷した後の色剤カートリッジの消耗度合が第１の消耗度合以上になる場合には再印刷用データを未印刷データより先に印刷させるので、同じ再印刷用データがまたかすれて印刷されてしまうことを低減できる。
【００１７】
第８の発明は、第４又は第５の発明の印刷装置であって、前記制御部は、前記第３の制御処理において前記再印刷用データを前記未印刷データより先に印刷させる場合に、前記再印刷用データの印刷中に前記取得部によって画像データが取得された場合は、当該画像データを未印刷データとして、全ての前記再印刷用データを印刷させた後に印刷させる。
この発明によると、未印刷データより先に再印刷用データを印刷させる場合に、再印刷用データの印刷中に取得された未印刷データが再印刷データより先に印刷されてしまわないようにすることができる。
【００１８】
第９の発明は、第１又は第２の発明の印刷装置であって、前記未印刷データは、予め前記再印刷用データに対する相対的な優先度が設定されており、前記制御部は、前記第３の制御処理において、前記再印刷用データより高い優先度が設定されている前記未印刷データを前記再印刷用データより先に印刷させ、前記再印刷用データより低い優先度が設定されている前記未印刷データを前記再印刷用データより後に印刷させる。
この発明によると、未印刷データに設定されている優先度に応じた印刷順で印刷するので、ユーザにとって適切な印刷順で印刷されるように優先度を設定することにより、再印刷用データと未印刷データとをユーザにとってより適切な印刷順で印刷できる。
なお、再印刷用データに対する相対的な優先度は、第３の制御処理を開始する前に設定されていれば良く、工場出荷時に固定で設定されている場合に限定されない。
【００１９】
第１０の発明は、第１又は第２の発明の印刷装置であって、前記取得部は複数の方法で前記画像データを取得可能であり、前記制御部は、前記第３の制御処理において、前記色剤カートリッジの消耗度合が特定の状態にあるときに特定の前記方法で取得された前記未印刷データを前記再印刷用データより先に印刷させ、それ以外の前記未印刷データを前記再印刷用データより後に印刷させる。
【００２０】
ユーザは、色剤カートリッジの消耗度合が特定の状態にあるときに特定の方法で取得された未印刷データを再印刷用データより先に印刷させ、それ以外の未印刷データを再印刷用データより後に印刷させたい場合もある。
この発明によると、そのような場合にユーザにとって適切な印刷順で印刷できる。
【００２１】
尚、本発明に備わる各部の機能は、構成自体で機能が特定されるハードウェア資源、プログラムにより機能が特定されるハードウェア資源、又はそれらの組み合わせにより実現される。また、これら各部の機能は、各々が物理的に互いに独立したハードウェア資源で実現されるものに限定されない。
【図面の簡単な説明】
【００２２】
【図１】実施形態１に係る複合機の電気的構成を示すブロック図。
【図２】トナーカートリッジの断面図。
【図３】ＦＡＸ受信機能における制御部の状態遷移を示す状態遷移図。
【図４】一括印刷処理の流れを示すフローチャート。
【図５】実施形態２に係る一括印刷処理の流れを示すフローチャート。
【図６】再印刷用データ優先印刷処理の流れを示すフローチャート。
【図７】未印刷データ優先印刷処理の流れを示すフローチャート。
【図８】実施形態３に係る一括印刷処理の流れを示すフローチャート。
【発明を実施するための形態】
【００２３】
＜実施形態１＞
本発明の実施形態１を図１ないし図４によって説明する。
（１）複合機の構成
図１は、実施形態１に係る複合機１（印刷装置の一例）の電気的構成を示すブロック図である。複合機１は、制御部１０、ファクシミリ（ＦＡＸ）部１１（取得部の一例）、スキャナ部１２（取得部の一例）、プリンタ部１３（印刷部の一例）、操作部１４（設定部の一例）、記憶部１５、ＵＳＢインタフェース（ＵＳＢ  Ｉ／Ｆ）１６（取得部の一例）、ネットワークインタフェース（ＮＷ  Ｉ／Ｆ）１７（取得部の一例）などを備えて構成されている。
【００２４】
制御部１０は、ＣＰＵ、ＲＯＭ、ＲＡＭなどで構成されている。ＣＰＵはＲＯＭに記憶されている各種のプログラムを実行することによって複合機１の各部を制御する。ＲＯＭはＣＰＵが実行するための各種のプログラムやデータなどを記憶している。ＲＡＭはＣＰＵが各種の処理を実行するための主記憶装置として用いられる。
【００２５】
ＦＡＸ部１１は、ＮＣＵ（Network Control Unit）、モデム、これらを制御するＡＳＩＣなどを備えて構成されており、公衆交換電話網を介して外部のＦＡＸ装置との間で画像データをＦＡＸ送受信する。
スキャナ部１２は、原稿を照射する光源、リニアイメージセンサ、光源によって照射された原稿の光学像をリニアイメージセンサに結像させる光学系、原稿とリニアイメージセンサとを相対移動させる搬送機構などを備えて構成されており、原稿を読み取って画像データを生成する。
【００２６】
プリンタ部１３は、画像データが表す画像を紙などの被記憶媒体に電子写真方式で印刷する。
プリンタ部１３には黒色のトナー（色剤の一例）が収容されているトナーカートリッジ５６（図２参照、色剤カートリッジの一例）が着脱可能に装着され、プリンタ部１３はトナーカートリッジ５６に収容されているトナーを用いて被記録媒体に画像を印刷する（以下「画像データを印刷する」という）。なお、本実施形態ではトナーの色は黒色であるとするが、トナーの色は黒色に限られるものではない。
【００２７】
操作部１４は、ＬＣＤ（Liquid Crystal Display）などの表示装置、表示装置の表示面を覆う略透明なタッチパネル、各種の操作ボタンなどを備えて構成されている。ユーザは操作部１４を操作することによって複合機１の機能の選択や各種の設定などを行うことができる。
記憶部１５は、ハードディスクやフラッシュメモリなどの不揮発性の記憶媒体を用いて各種のデータを記憶する装置である。なお、例えば外部のファイルサーバを記憶部１５として用いてもよい。
【００２８】
ＵＳＢ（Universal Serial Bus）インタフェース１６は、ＵＳＢホストコントローラ、ＵＳＢポートなどを備えて構成されており、ＵＳＢメモリやＵＳＢハードディスクなどのＵＳＢマスストレージデバイスが接続される。
ネットワークインタフェース１７は、ＬＡＮやインターネットなどの通信ネットワークを介して外部のコンピュータと通信可能に接続されている。
【００２９】
（２）複合機の機能
複合機１は、ＦＡＸ受信機能、プリント機能、ダイレクトプリント機能、及び、コピー機能を実行可能に構成されている。
ＦＡＸ受信機能は、ＦＡＸ部１１によって外部のＦＡＸ装置から画像データをＦＡＸ受信し（画像データを取得する方法の一例）、ＦＡＸ受信した画像データをプリンタ部１３によって印刷する機能である。
プリント機能は、ネットワークインタフェース１７によって外部のコンピュータから画像データを受信し（画像データを取得する方法の一例）、受信した画像データをプリンタ部１３によって印刷する機能である。
【００３０】
ダイレクトプリント機能は、ＵＳＢインタフェース１６に接続されているＵＳＢマスストレージデバイスから画像データを読み込み（画像データを取得する方法の一例）、読み込んだ画像データをプリンタ部１３によって印刷する機能である。
コピー機能は、スキャナ部１２によって原稿を読み取って画像データを生成し（画像データを取得する方法の一例）、生成した画像データをプリンタ部１３によって印刷する機能である。
【００３１】
上述した各機能において、画像データ（例えばＦＡＸ受信した画像データや外部のコンピュータから受信した画像データなど）は一旦ＲＡＭに記憶され、印刷後にＲＡＭから削除される。
【００３２】
（３）トナーカートリッジ
次に、プリンタ部１３に着脱可能に装着されるトナーカートリッジについて説明する。
（３−１）トナーカートリッジの構成
図２は、トナーカートリッジの断面図である。トナーカートリッジ５６は、トナー収容室４６、アジテータ５７、供給ローラ４７、現像ローラ４８、層厚規制ブレード５１などを備えて構成されている。
トナー収容室４６には、正帯電性の非磁性のトナー（色剤の一例）が収容されている。アジテータ５７によって撹拌されたトナーは供給ローラ４７に供給され、供給ローラ４７の回転によって現像ローラ４８に供給される。
現像ローラ４８に供給されたトナーは現像ローラ４８の回転に伴って層厚規制ブレード５１と現像ローラ４８との間に進入し、一定の厚さの薄層として現像ローラ４８上に担持される。
現像ローラ４８に担持されたトナーは、複合機１に設けられている感光体ドラム、あるいは複合機１に着脱可能に装着されるドラムユニットに設けられている感光体ドラムの表面に形成されている静電潜像に供給され、それによって感光体ドラムの表面にトナー像が形成される。
【００３３】
（３−２）トナーカートリッジの新品検知
トナーカートリッジ５６の新品検知は種々の方法で行うことができる。
例えば、一方向にのみ移動可能な可動部材をトナーカートリッジ５６に設け、トナーカートリッジ５６を装着する際に当該可動部材が複合機１の内部（あるいはドラムユニット）に設けられている固定部材に押されて当該一方向に移動するように構成し、複合機１側に設けた機械的、あるいは光学的なセンサ（検知部の一例）によってこの移動を検出してもよい。これにより、制御部１０（検知部の一例）は新品（消耗度合が第１の消耗度合未満）のトナーカートリッジ５６に交換されたことを検知することができる。この場合、一度装着したトナーカートリッジ５６を外して再装着する際には可動部材が移動しないので、新品とは検知されないことになる。
【００３４】
なお、トナーカートリッジ５６のトナー残量をセンサによって定期的に検出し、前回検出したときからトナー残量が増加しており、且つそのトナー残量がある一定量以上であれば新品と検知してもよい。
また、トナーカートリッジ５６を新品に交換したときにユーザが操作部１４でその旨を設定することで新品と検知してもよい。
【００３５】
（３−３）トナーカートリッジの消耗度合
トナーは印刷が行われる毎に使用され、ある一定量以上使用されるとトナーが不足して印刷がかすれ始め、それにより印刷品質が低下し始める。
また、現像ローラ４８も回転が繰り返されることによって徐々に摩耗し、ある一定回転数以上回転すると担持できるトナーの量が少なくなって印刷がかすれ始め、それにより印刷品質が低下し始める。
そこで、制御部１０は、トナーカートリッジ５６が新品に交換されてからのトナー使用量と現像ローラ４８の回転数とからトナーカートリッジ５６の消耗度合を判断する。
【００３６】
トナーカートリッジ５６が新品に交換されてからのトナー使用量は種々の方法で判断することができる。
例えば、被記録媒体１枚当たりの平均的なトナー使用量を予め実験によって求めておき、トナーカートリッジ５６が新品に交換されたときからの印刷枚数とその平均的なトナー使用量との積からトナー使用量を判断してもよい。
【００３７】
あるいは、被記録媒体に形成するドットの数をカウントし、カウントしたドットの数と１ドット当たりのトナー量との積からその被記録媒体への印刷に用いるトナー量を算出し、被記録媒体毎に算出したトナー量を合計することによってトナー使用量を判断してもよい。
【００３８】
あるいは、トナー収容室４６内のトナー残量を検出するセンサを設け、新品時の全トナー量から現在のトナー残量を減じることによってトナー使用量を判断してもよい。
【００３９】
トナーカートリッジ５６が新品に交換されてからの現像ローラ４８の回転数も種々の方法で判断することができる。
例えば、現像ローラ４８を回転駆動する図示しない駆動モータの回転数を検出することによって現像ローラ４８の回転数を判断してもよい。
あるいは、被記録媒体１枚当たりの平均的な現像ローラ４８の回転数を予め実験によって求めておき、トナーカートリッジ５６が新品に交換されたときからの印刷枚数と被記録媒体１枚当たりの平均的な現像ローラ４８の回転数との積から現像ローラ４８の回転数を判断してもよい。
【００４０】
本実施形態では、トナーカートリッジ５６が新品に交換されたときからの印刷枚数によってトナー使用量、及び現像ローラ４８の回転数を判断する場合を例に説明する。
【００４１】
印刷がかすれ始めるトナー使用量に達する印刷枚数、及び、印刷がかすれ始める回転数に達する印刷枚数は予め実験によって求められており、複合機１にはそれらのうちいずれか少ない方の枚数が第１の枚数（第１の消耗度合の一例）として設定されている。第１の枚数は印刷される画像データのサイズや内容などによって変化し得るが、本実施形態では１２００〜１７００枚の範囲で設定される。
【００４２】
また、トナー使用量が使用限界（トナー残量が０）に達する印刷枚数、及び、現像ローラ４８が使用限界（内容を把握できなくなる程度に印刷がかすれる回転数）に達する印刷枚数も予め実験によって求められており、複合機１にはそれらのうちいずれか少ない方の枚数が第２の枚数（第２の消耗度合の一例）として設定されている。第２の枚数も印刷される画像データのサイズや内容などによって変化し得るが、本実施形態では４０００枚とする。
【００４３】
制御部１０は、印刷枚数をカウントし、印刷枚数が第１の枚数未満のときはトナーカートリッジ５６の消耗度合が第１状態にあると判断し、第１の枚数以上で且つ第２の枚数未満のときは第２状態にあると判断し、第２の枚数以上のときは第３状態にあると判断する（判断処理の一例）。
【００４４】
（４）ＦＡＸ受信機能における制御部の状態遷移
図３は、ＦＡＸ受信機能における制御部１０の状態遷移を示す状態遷移図である。ここではトナーカートリッジ５６の消耗度合の状態も併せて示している。なお、図３は制御部１０の状態遷移を簡略化して示しており、制御部１０の状態は図３に示す遷移の経路とは異なる経路で他の状態に遷移することもあり得る。
【００４５】
「Ｒｅａｄｙ」状態８１は、新品のトナーカートリッジ５６に交換されてから未だ印刷枚数が第１の枚数に達していない状態である。
制御部１０は、新品のトナーカートリッジ５６に交換されると、印刷枚数をカウントするカウンタ変数ｎを０に初期化し、１枚の被記録媒体に画像を印刷する毎にカウンタ変数ｎに１を加算する。このカウントは、ＦＡＸ受信機能、プリント機能、ダイレクトプリント機能、及びコピー機能のいずれによって印刷が行われた場合も対象となる。制御部１０は、カウンタ変数ｎの値が第１の枚数未満であれば「Ｒｅａｄｙ」状態８１であると判断する。
【００４６】
制御部１０は、「Ｒｅａｄｙ」状態８１のときに画像データをＦＡＸ受信すると、その画像データをプリンタ部１３に印刷させる（第１の制御処理の一例）。
「Ｒｅａｄｙ」状態８１で印刷を繰り返してカウンタ変数ｎの値が所定枚数（＜第１の枚数）に達すると、制御部１０の状態は「Ｔｏｎｅｒ  Ｌｏｗ」状態８２に遷移する。
【００４７】
「Ｔｏｎｅｒ  Ｌｏｗ」状態８２は、カウンタ変数ｎの値が所定の枚数（例えば１０００枚）以上で且つ第１の枚数未満の範囲にある状態である。
制御部１０は、「Ｔｏｎｅｒ  Ｌｏｗ」状態８２のときに画像データをＦＡＸ受信すると、その画像データをプリンタ部１３に印刷させる（第１の制御処理の一例）。
【００４８】
「Ｔｏｎｅｒ  Ｌｏｗ」状態８２で印刷を繰り返してカウンタ変数ｎの値が第１の枚数に達すると、制御部１０の状態は「Ｒｅｐｌａｃｅ  Ｔｏｎｅｒ（再印刷用データ無）」状態８３に遷移する。
【００４９】
「Ｒｅｐｌａｃｅ  Ｔｏｎｅｒ（再印刷用データ無）」状態８３は、新品のトナーカートリッジ５６に交換されてからの印刷枚数が第１の枚数以上〜第２の枚数未満の範囲にある状態である。
「Ｒｅｐｌａｃｅ  Ｔｏｎｅｒ（再印刷用データ無）」状態８３に遷移すると、制御部１０は先ず「停止」モード又は「継続」モードを選択させるための図示しないモード選択画面を操作部１４に表示してユーザに何れか一方のモードを選択させる。
【００５０】
ユーザが「停止」モードを選択した場合は、制御部１０は操作部１４にトナーカートリッジ５６の交換を促すメッセージを表示する。そして、トナーカートリッジ５６が交換されるまでＦＡＸ受信を拒否する。または、ＦＡＸ受信した画像データを印刷させずに記憶部１５に記憶させてもよい。
一方、ユーザが「継続」モードを選択した場合は、その後にＦＡＸ受信されると、制御部１０の状態は「ＦＡＸ  Ｐｒｉｎｔｉｎｇ」状態８４に遷移する。
【００５１】
「停止」モード及び「継続」モードのいずれが選択された場合も、「Ｒｅｐｌａｃｅ  Ｔｏｎｅｒ（再印刷用データ無）」状態８３でトナーカートリッジ５６が新品に交換されると、制御部１０の状態は「Ｒｅａｄｙ」状態８１に戻る。
【００５２】
「ＦＡＸ  Ｐｒｉｎｔｉｎｇ」状態８４は、ＦＡＸ受信した画像データを印刷している状態である（第２の制御処理の一例）。
画像データの印刷が終了すると、制御部１０は操作部１４に品質確認画面７１を表示し、印刷した画像データの印刷品質に問題があるか否かをユーザに選択させる。ユーザは、印刷がかすれていて読み難いなどのように印刷品質に問題があると判断した場合は品質確認画面７１で「ＮＧ」を選択し、一方、印刷品質に問題がないと判断した場合は「ＯＫ」を選択する。
【００５３】
ユーザが「ＮＧ」を選択すると、制御部１０は、ＦＡＸ受信した画像データを再印刷用データとして記憶部１５に記憶する（第２の制御処理の一例）。記憶部１５に再印刷用データが記憶されると、制御部１０の状態は「Ｒｅｐｌａｃｅ  Ｔｏｎｅｒ（再印刷用データ有）」状態８５」に遷移する。
一方、ユーザが「ＯＫ」を選択すると、制御部１０は操作部１４に削除確認画面７２を表示し、印刷した画像データを削除するか否かをユーザに指定させる。ユーザはその画像データを複合機１から削除してもよい場合は「削除」を選択し、その画像データを複合機１に残しておきたい場合は「削除しない」を選択する。
【００５４】
ユーザが「削除」を選択すると、制御部１０は、記憶部１５に記憶されている全ての再印刷用データを削除する。全ての再印刷用データを削除すると、制御部１０の状態は「Ｒｅｐｌａｃｅ  Ｔｏｎｅｒ（再印刷用データ無）」状態８３に戻る。
一方、削除確認画面７２でユーザが「削除しない」を選択すると、制御部１０は、ＦＡＸ受信した画像データを再印刷用データとして記憶部１５に記憶する（第２の制御処理の一例）。記憶部１５に再印刷用データが記憶されると、制御部１０の状態は「Ｒｅｐｌａｃｅ  Ｔｏｎｅｒ（再印刷用データ有）」状態８５に遷移する。
削除確認画面７２でユーザが一定時間以内に選択を行わなかった場合には、「Ｔｉｍｅｏｕｔ」として品質確認画面７１に戻る。
【００５５】
なお、品質確認画面７１や削除確認画面７２を表示させず、トナーカートリッジ５６の消耗度合の状態が第２状態にあるときは無条件に画像データを記憶部１５に記憶させてもよい。
【００５６】
「Ｒｅｐｌａｃｅ  Ｔｏｎｅｒ（再印刷用データ有）」状態８５は、「Ｒｅｐｌａｃｅ  Ｔｏｎｅｒ（再印刷用データ無）」状態８３と同様にカウンタ変数ｎの値が第１の枚数以上で且つ第２の枚数未満の範囲にある状態であるが、少なくとも一つの再印刷用データが記憶部１５に記憶されている点で「Ｒｅｐｌａｃｅ  Ｔｏｎｅｒ（再印刷用データ無）」状態８３と異なる。
【００５７】
制御部１０の状態が「Ｒｅｐｌａｃｅ  Ｔｏｎｅｒ（再印刷用データ有）」状態８５に遷移すると、制御部１０は先ず記憶部１５に記憶されている再印刷用データの数が、記憶部１５に記憶可能な再印刷用データの上限件数である１０００件に達しているか否かを判定する。記憶部１５に記憶されている再印刷用データの数が上限件数に達している場合は、制御部１０の状態は「Ｍｅｍｏｒｙ  Ｆｕｌｌ」状態８６に遷移する。
【００５８】
「Ｍｅｍｏｒｙ  Ｆｕｌｌ」状態８６は、記憶部１５に記憶されている再印刷用データの数が上限件数に達している状態である。「Ｍｅｍｏｒｙ  Ｆｕｌｌ」状態８６のときは、制御部１０は画像データのＦＡＸ受信を拒否する。
【００５９】
一方、再印刷用データの数が上限件数に達していない場合はそのまま「Ｒｅｐｌａｃｅ  Ｔｏｎｅｒ（再印刷用データ有）」状態８５となる。
「Ｒｅｐｌａｃｅ  Ｔｏｎｅｒ（再印刷用データ有）」状態８５で画像データをＦＡＸ受信すると、制御部１０の状態は「ＦＡＸ  Ｐｒｉｎｔｉｎｇ」状態８４に戻る。
【００６０】
また、「Ｒｅｐｌａｃｅ  Ｔｏｎｅｒ（再印刷用データ有）」状態８５で印刷を繰り返してカウンタ変数ｎの値が第２の枚数に達すると、制御部１０の状態は「Ｔｏｎｅｒ  Ｅｎｄｅｄ」状態８８に遷移する。
また、「Ｒｅｐｌａｃｅ  Ｔｏｎｅｒ（再印刷用データ有）」状態８５でトナーカートリッジ５６が新品に交換されると、制御部１０は操作部１４に印刷／削除選択画面７３を表示し、記憶部１５に記憶されている全ての再印刷用データを一括印刷するか又は一括削除するかをユーザに選択させる。ユーザは、再印刷用データを一括印刷する場合は「印刷」を選択し、一括削除する場合は「削除」を選択する。
【００６１】
印刷／削除選択画面７３でユーザが「印刷」を選択すると、制御部１０の状態は「再印刷用データＰｒｉｎｔｉｎｇ」状態８７に遷移する。
一方、ユーザが「削除」を選択すると、制御部１０は記憶部１５に記憶されている全ての再印刷用データを一括して削除する。記憶部１５に記憶されている再印刷用データが全て削除されると、制御部１０の状態は「Ｒｅａｄｙ」状態８１に戻る。
なお、印刷／削除選択画面７３を表示させず、無条件に再印刷用データを印刷させてもよい。
【００６２】
なお、「Ｍｅｍｏｒｙ  Ｆｕｌｌ」状態８６でトナーカートリッジ５６が新品に交換されたときの制御部１０の処理は、「Ｒｅｐｌａｃｅ  Ｔｏｎｅｒ（再印刷用データ有）」状態８５でトナーカートリッジ５６が新品に交換された場合と同じである。
【００６３】
「再印刷用データＰｒｉｎｔｉｎｇ」状態８７は、記憶部１５に記憶されている再印刷用データと、取得部によって取得されて未だ印刷が行われていない未印刷データとを、予め決められている印刷順でプリンタ部１３に印刷させる「一括印刷処理」を実行している状態である（第３の制御処理の一例）。「一括印刷処理」の詳細については後述する。「一括印刷処理」が終了すると、制御部１０の状態は「Ｒｅａｄｙ」状態８１に戻る。
【００６４】
「Ｔｏｎｅｒ  Ｅｎｄｅｄ」状態８８は、カウンタ変数ｎの値が第２の枚数以上の状態である。
【００６５】
「Ｔｏｎｅｒ  Ｅｎｄｅｄ」状態８８で画像をＦＡＸ受信すると、制御部１０の状態は「代行受信」状態８９に遷移する。「代行受信」状態８９のときは、複合機１はＦＡＸ受信した画像データの印刷は行わずに、画像データを記憶部１５に記憶させる。
また、「Ｔｏｎｅｒ  Ｅｎｄｅｄ」状態８８で新品のトナーカートリッジ５６に交換されると、制御部１０は印刷確認画面７４を操作部１４に表示し、記憶部１５に記憶されている全ての再印刷用データを一括印刷することをユーザに確認する。
【００６６】
印刷確認画面７４では、ユーザは「ＯＫ」を選択することしかできない。つまり、ユーザは再印刷用データの一括削除を選択することはできない。その理由は、「Ｔｏｎｅｒ  Ｅｎｄｅｄ」状態８８になる直前に受信した画像データは内容を把握できない程度にかすれて印刷されている可能性があるので、一括削除してしまうとそのような画像データの内容を把握できなくなる虞があるからである。
印刷確認画面７４でユーザが「ＯＫ」を選択すると、制御部１０の状態は「再印刷用データＰｒｉｎｔｉｎｇ」状態８７に遷移する。
【００６７】
「代行受信」状態８９は、「Ｔｏｎｅｒ  Ｅｎｄｅｄ」状態８８でＦＡＸ受信した画像データを未印刷データとして記憶部１５に記憶する状態である（第４の制御処理の一例）。
【００６８】
（５）一括印刷処理
図４は、「再印刷用データＰｒｉｎｔｉｎｇ」状態８７で実行される一括印刷処理の流れを示すフローチャートである。本処理は制御部１０の状態が「再印刷用データＰｒｉｎｔｉｎｇ」状態８７に遷移すると開始される。
ここではトナーカートリッジ５６が特定の状態にあるときに特定の方法で取得された未印刷データ（以下に示す（ａ）〜（ｄ））を再印刷用データより先に印刷させ、それ以外の未印刷データ（以下に示す（ｅ））を再印刷用データより後に印刷させる場合を例に説明する。
【００６９】
Ｓ１０１では、制御部１０は未印刷データが有るか否かを判定し、未印刷データが有る場合はＳ１０２に進み、ない場合はＳ１０４に進む。
ここでいう未印刷データとは、次の（ａ）〜（ｄ）の画像データのことをいう。
（ａ）「Ｔｏｎｅｒ  Ｅｎｄｅｄ」状態８８（第３状態）でＦＡＸ部１１によってＦＡＸ受信され、「代行受信」状態８９で未印刷データとして記憶部１５に記憶された画像データ。
（ｂ）トナーカートリッジ５６が新品に交換された後（第１状態）にスキャナ部１２によって生成され、未だ印刷されていない画像データ。
（ｃ）トナーカートリッジ５６が新品に交換された後（第１状態）にネットワークインタフェース１７によって受信され、未だ印刷されていない画像データ。
（ｄ）トナーカートリッジ５６が新品に交換された後（第１状態）にＵＳＢインタフェース１６によって読み込まれ、未だ印刷されていない画像データ。
【００７０】
ところで、次に示す（ｅ）の画像データも未印刷データの一つである。しかしながら、本実施形態では（ｅ）の画像データについては例外的に再印刷用データの後に印刷し、Ｓ１０１での判定の対象には含めないものとする。
（ｅ）トナーカートリッジ５６が新品に交換された後にＦＡＸ受信されてＲＡＭに記憶され、未だ印刷されていない画像データ。
【００７１】
Ｓ１０２では、制御部１０は未印刷データ（トナーカートリッジ５６が新品に交換された後にＦＡＸ受信した画像データを除く）を一つ読み出し、読み出した未印刷データをプリンタ部１３に印刷させる。印刷後、制御部１０はその未印刷データを削除する。
【００７２】
Ｓ１０３では、制御部１０は未だ印刷していない未印刷データ又は再印刷用データが有るか否かを判定し、有る場合はＳ１０１に戻って処理を繰り返し、ない場合は本処理を終了する。
Ｓ１０４では、制御部１０は記憶部１５に再印刷用データが記憶されているか否か（有るか否か）を判定し、記憶されている場合はＳ１０５に進み、記憶されていない場合はＳ１０６に進む。
【００７３】
Ｓ１０５では、制御部１０は再印刷用データを一つ選択し、選択した再印刷用データをプリンタ部１３に印刷させる。印刷後、制御部１０はその再印刷用データを記憶部１５から削除する。
Ｓ１０６では、制御部１０は未印刷データ（トナーカートリッジ５６が新品に交換された後にＦＡＸ受信された画像データ）が有るか否かを判定し、有る場合はＳ１０７に進み、ない場合は本処理を終了する。
【００７４】
Ｓ１０７では、制御部１０は未印刷データ（トナーカートリッジ５６が新品に交換された後にＦＡＸ受信した画像データ）を一つ読み出し、読み出した未印刷データをプリンタ部１３に印刷させる。印刷後、制御部１０はその未印刷データを削除する。
【００７５】
（６）実施形態の効果
以上説明した本発明の実施形態１に係る複合機１によると、再印刷用データと未印刷データとを予め決められている印刷順で印刷するので、ユーザにとって適切な印刷順を予め設定しておくことにより、再印刷用データと未印刷データとをユーザにとって適切な印刷順で印刷できる。
【００７６】
更に、複合機１によると、トナーカートリッジ５６の状態が第３状態（使用限界に達している状態）にあるときにＦＡＸ部１１によってＦＡＸ受信した画像データをプリンタ部１３に印刷させず、未印刷データとして記憶部１５に記憶させるので、第３状態にあるときにＦＡＸ受信した画像データをトナーカートリッジ５６の交換後に印刷することができる。
【００７７】
更に、複合機１によると、未印刷データ（トナーカートリッジ５６が新品に交換された後にＦＡＸ受信した画像データを除く）を再印刷用データより先に印刷させる。
再印刷用データは既に一度は印刷されているのに対し、未印刷データは未だ一度も印刷が行われていないのでユーザはその内容を把握できていない。
複合機１によると、一度印刷が行われている再印刷用データよりも、未だ一度も印刷が行われていない未印刷データを先に印刷させるので、ユーザは未印刷データの内容を速やかに把握することができる。
【００７８】
更に、複合機１によると、未印刷データ（トナーカートリッジ５６が新品に交換された後にＦＡＸ受信した画像データを除く）を再印刷用データより先に印刷させる場合に、再印刷用データの印刷中に取得部（ＦＡＸ部１１を除く）によって画像データが取得された場合は、当該取得された画像データを未印刷データとして、未だ印刷が開始されていない再印刷用データより先に印刷させる。
再印刷用データは既に一度は印刷されているのに対し、再印刷用データの印刷中に取得された画像データは未だ一度も印刷が行われていないのでユーザはその画像データの内容を把握できていない。
複合機１によると、再印刷用データの印刷中に取得部（ＦＡＸ部１１を除く）によって画像データが取得された場合は、当該取得された画像データ（未印刷データ）を、未だ印刷が開始されていない再印刷用データより先に印刷させるので、ユーザは当該画像データの内容を速やかに把握することができる。
【００７９】
更に、複合機１によると、取得部は複数の方法で画像データを取得可能であり、制御部１０はトナーカートリッジ５６が特定の状態にあるときに特定の方法で取得された未印刷データを再印刷用データより先に印刷させ、それ以外の未印刷データを再印刷用データより後に印刷させる。
ユーザは、トナーカートリッジ５６が特定の状態にあるときに特定の方法で取得された未印刷データを再印刷用データより先に印刷させ、それ以外の未印刷データを再印刷用データより後に印刷させたい場合もある。
複合機１によると、そのような場合にユーザにとって適切な印刷順で印刷できる。
【００８０】
＜実施形態２＞
次に、本発明の実施形態２を図５ないし図７によって説明する。
実施形態２では、再印刷用データと未印刷データとの印刷順をユーザに設定させる。
図５は、実施形態２に係る一括印刷処理の流れを示すフローチャートである。ここでは実施形態１と実質的に同一の処理には同一の符号を付して説明を省略する。
Ｓ２０１では、制御部１０は印刷順選択画面を操作部１４に表示し、再印刷用データと未印刷データとの印刷順をユーザに選択させる。
【００８１】
Ｓ２０２では、制御部１０は再印刷用データを先に印刷する印刷順が選択されたか、又は未印刷データを先に印刷する印刷順が選択されたかを判定し、再印刷用データを先に印刷する印刷順が選択された場合はＳ２０３に進み、未印刷データを先に印刷する印刷順が選択された場合はＳ２０４に進む。
Ｓ２０３では、制御部１０は再印刷用データを先に印刷する「再印刷用データ優先印刷処理」を実行する。
Ｓ２０４では、制御部１０は未印刷データを先に印刷する「未印刷データ優先印刷処理」を実行する。
【００８２】
図６は、再印刷用データ優先印刷処理の流れを示すフローチャートである。ここでは実施形態１と実質的に同一の処理には同一の符号を付して説明を省略する。なお、本処理ではＳ１０４、Ｓ１０５，Ｓ１０３を繰り替えし実行中に取得された画像データ（スキャナ部１２、ネットワークインタフェース１７、ＵＳＢインタフェース１６、及びＦＡＸ部１１により取得（受信）された画像データ）は、一旦記憶部１５に記憶される。
Ｓ２０５では、制御部１０は記憶部１５に未印刷データ（トナーカートリッジ５６が新品に交換された後にＦＡＸ受信した画像データを含む全ての未印刷データ）が有るか否かを判定し、有る場合はＳ２０６に進み、ない場合は本処理を終了する。
【００８３】
Ｓ２０６では、制御部１０は未印刷データを一つ読み出し、読み出した未印刷データをプリンタ部１３に印刷させる。印刷後、制御部１０はその未印刷データを削除する。
【００８４】
図７は、未印刷データ優先印刷処理の流れを示すフローチャートである。ここでは実施形態１と実質的に同一の処理には同一の符号を付して説明を省略する。
Ｓ２０７では、制御部１０は記憶部１５に記憶されている未だ印刷が開始されていない全ての再印刷用データ及び現時点で取得されている全ての未印刷データを印刷するために必要な被記録媒体の枚数である残存印刷枚数を算出する。
【００８５】
Ｓ２０８では、制御部１０は「Ｒｅｐｌａｃｅ  Ｔｏｎｅｒ（再印刷用データ無）」状態８３になるまでに印刷可能な枚数である印刷可能枚数（＝第１の枚数−カウンタ変数ｎ）を算出する。
【００８６】
Ｓ２０９では、制御部１０は残存印刷枚数（残存枚数）が印刷可能枚数（可能枚数）より多いか否かを判断し、印刷可能枚数以下である場合は、Ｓ２１０に進む。一方、印刷可能枚数が残存印刷枚数より多い場合は、制御部１０は「未印刷データ優先印刷処理」を抜けて「再印刷用データ優先印刷処理」（Ｓ２０３，図５）を実行する。
【００８７】
Ｓ２１０では、制御部１０は記憶部１５に未印刷データ（トナーカートリッジ５６が新品に交換された後にＦＡＸ受信した画像データを含む全ての未印刷データ）が有るか否かを判定し、有る場合はＳ２０６に進み、ない場合は本処理を終了する。
【００８８】
Ｓ２１１では、制御部１０は未印刷データを一つ読み出し、読み出した未印刷データをプリンタ部１３に印刷させる。印刷後、制御部１０はその未印刷データを削除する。
【００８９】
以上説明した本発明の実施形態２に係る複合機によると、再印刷用データと未印刷データとの印刷順をユーザが設定できるので、再印刷用データと未印刷データとをユーザにとって適切な印刷順で印刷できる。
【００９０】
更に、この複合機によると、未印刷データを再印刷用データより先に印刷させる場合に、記憶部１５に記憶されている未だ印刷が開始されていない全ての再印刷用データと現時点で取得されていて未だ印刷が開始されていない全ての未印刷データとを印刷した後のトナーカートリッジ５６の消耗度合をそれらの印刷前に判断し、判断した消耗度合が第１の消耗度合より大きい場合には再印刷用データを未印刷データより先に印刷させるので、同じ再印刷用データがまたかすれて印刷されてしまうことを低減できる。
【００９１】
更に、この複合機によると、制御部１０は、再印刷用データを未印刷データより先に印刷させる場合に、再印刷用データの印刷中に取得部によって画像データが取得された場合は、当該画像データを未印刷データとして、全ての再印刷用データを印刷させた後に印刷させる。これにより、再印刷用データの印刷中に取得された未印刷データが再印刷データより先に印刷されてしまわないようにすることができる。
【００９２】
＜実施形態３＞
次に、本発明の実施形態３を図８によって説明する。
実施形態３では、未印刷データに予め再印刷用データに対する相対的な優先度を設定し、再印刷用データより相対的に高い優先度が設定されている未印刷データを再印刷用データより先に印刷させ、再印刷用データより低い優先度が設定されている未印刷データを再印刷用データより後に印刷させる。
【００９３】
未印刷データへの優先度の設定は、例えばコピー機能やダイレクトプリント機能の場合はユーザが操作部１４を操作して設定してもよい。
また、プリント機能の場合には、コンピュータで実行される複合機用のプリンタドライバによって表示される印刷設定画面でユーザが優先度を設定してもよい。
【００９４】
また、ＦＡＸ受信機能の場合には、ＦＡＸ受信した画像データの優先度を予め複合機の管理者が設定しておいて、第３状態でＦＡＸ受信した画像データ（未印刷データ）、あるいは新品のトナーカートリッジ５６に交換された後、再印刷用データの印刷前又は印刷実行中にＦＡＸ受信した画像データ（未印刷データ）に、一律にその優先度を設定してもよい。
あるいは、機能毎に予め優先順位が固定で設定されていてもよい。
【００９５】
図８は、実施形態３に係る一括印刷処理の流れを示すフローチャートである。ここでは実施形態１と実質的に同一の処理には同一の符号を付して説明を省略する。
Ｓ３０１では、制御部１０は再印刷用データより相対的に高い優先度が設定されている未印刷データが有るか否かを判定し、有る場合はＳ３０２に進み、ない場合はＳ１０６に進む。
【００９６】
Ｓ３０２では、制御部１０は相対的に高い優先度が設定されている未印刷データを一つ選択し、選択した未印刷データをプリンタ部１３に印刷させる。印刷後、制御部１０は選択した未印刷データを削除する。
Ｓ３０３では、制御部１０は再印刷用データより相対的に低い優先度が設定されている未印刷データが有るか否かを判定し、有る場合はＳ３０４に進み、ない場合は本処理を終了する。
【００９７】
Ｓ３０４では、制御部１０は相対的に低い優先度が設定されている未印刷データを一つ選択し、選択した未印刷データをプリンタ部１３に印刷させる。印刷後、制御部１０は選択した未印刷データを削除する。
【００９８】
以上説明した本発明の実施形態３に係る複合機によると、未印刷データに設定されている優先度に応じた印刷順で印刷するので、ユーザにとって適切な印刷順で印刷されるように優先度を設定することにより、再印刷用データと未印刷データとをユーザにとってより適切な印刷順で印刷できる。
【００９９】
＜他の実施形態＞
本発明は上記記述及び図面によって説明した実施形態に限定されるものではなく、例えば次のような実施形態も本発明の技術的範囲に含まれる。
【０１００】
（１）上記実施形態ではトナーを用いて印刷するプリンタ部１３を例に説明したが、プリンタ部１３は、着脱可能に装着されているインクカートリッジ（色剤カートリッジの一例）に収容されているインク（色剤の一例）を用いて被記録媒体にインクジェット方式で画像を印刷するものであってもよい。
【０１０１】
（２）上記実施形態では黒色のトナーを用いて印刷するプリンタ部１３を例に説明したが、例えばＣＭＹＫ４色のトナーを用いてカラー印刷するものであってもよい。その場合は、例えばいずれかのトナーカートリッジ５６が第１の消耗度合に達した時点で第１状態と判断してもよいし、黒色のトナーを収容するトナーカートリッジ５６の消耗度合のみで判断してもよい。第２状態及び第３状態についても同様である。
【０１０２】
（３）上記実施形態では第２状態にあるときにＦＡＸ受信した画像データのみを再印刷用データとして記憶しているが、第２状態にあるときにスキャナ部１２、ネットワークインタフェース１７、及び／又は、ＵＳＢインタフェース１６によって取得された画像データを再印刷用データとして記憶部１５に記憶してもよい。
【０１０３】
（４）上記実施形態では第３状態にあるときにＦＡＸ受信した画像データのみを未印刷データとして記憶部１５に記憶する場合を例に説明したが、第３状態にあるときにスキャナ部１２、ネットワークインタフェース１７、及び／又は、ＵＳＢインタフェース１６によって取得された画像データを未印刷データとして記憶部１５に記憶してもよい。
【０１０４】
（５）上記実施形態では「Ｔｏｎｅｒ  Ｅｎｄｅｄ」状態８８でＦＡＸ受信した画像データを未印刷データとして記憶部１５に記憶させているが、「Ｔｏｎｅｒ  Ｅｎｄｅｄ」状態８８ではＦＡＸ受信を拒否してもよい。その場合、未印刷データは前述した（ａ）〜（ｄ）の画像データのみとなる。
逆に、「Ｔｏｎｅｒ  Ｅｎｄｅｄ」状態８８でＦＡＸ受信した画像データのみを未印刷データとしてもよい。
【０１０５】
（６）上記実施形態１では未印刷データを再印刷用データより先に印刷させる場合を例に説明したが、再印刷用データを未印刷データより先に印刷させてもよい。これにより、再印刷用データを未印刷データより先に印刷させるという印刷順がユーザにとって適切な印刷順である場合に、再印刷用データと未印刷データとをユーザにとって適切な印刷順で印刷できる。
【０１０６】
（７）上記実施形態３ではユーザや管理者が未印刷データに優先度を設定する場合を例に説明したが、例えばユーザに応じて優先度を設定してもよい。
具体的には例えば、ユーザＩＤ毎に優先度を予め設定しておき、外部のコンピュータから受信した画像データに、その画像データを送信したユーザのユーザＩＤに設定されている優先度を設定してもよい。
コピー機能やダイレクトプリント機能の場合には、ユーザが操作部１４でユーザＩＤを入力し、入力されたユーザＩＤに設定されている優先度を設定してもよい。
【０１０７】
（８）上記実施形態ではトナーカートリッジ５６の消耗度合をトナー使用量と現像ローラ４８の回転数とから判断する場合を例に説明したが、現像ローラ４８の寿命（使用限界に達するまでの回転数）が充分に長い場合はトナー使用量のみで消耗度合を判断してもよい。
【０１０８】
（９）上記実施形態では印刷装置として複合機を例に説明したが、印刷装置は単機能のＦＡＸ装置、プリンタ、あるいはコピー機（複写機）であってもよい。
【符号の説明】
【０１０９】
１・・・複合機
３・・・被記録媒体
１０・・・制御部
１１・・・ファクシミリ（ＦＡＸ）部
１２・・・スキャナ部
１３・・・プリンタ部
１４・・・操作部
１５・・・記憶部
１６・・・ＵＳＢインタフェース
１７・・・ネットワークインタフェース
４８・・・現像ローラ
５６・・・トナーカートリッジ
【図１】
0005682183.tif 000002
【図２】
0005682183.tif 000003
【図３】
0005682183.tif 000004
【図４】
0005682183.tif 000005
【図５】
0005682183.tif 000006
【図６】
0005682183.tif 000007
【図７】
0005682183.tif 000008
【図８】
0005682183.tif 000009